(57)【要約】      （修正有）【課題】良好な外観を有する合わせガラスを提供すること。【解決手段】第１のガラス基板２、第１の接着シート３、透明樹脂フィルム４１の一方の主面に熱線反射膜４２が形成された熱線反射フィルム４、第２の接着シート５、および第２のガラス基板６を有し、これらがこの順に積層された合わせガラスの製造方法であって、前記第１のガラス基板２と前記第１の接着シート３とを重ね合わせて真空雰囲気下で加熱することにより接着して第１の接着構体とすると共に、前記第２のガラス基板６と前記第２の接着シート５とを重ね合わせて真空雰囲気下で加熱することにより接着して第２の接着構体とする接着構体製造工程と、前記第１の接着構体、前記熱線反射フィルム４、および前記第２の接着構体をこの順に重ね合わせて真空雰囲気下で加熱して予備圧着構体とする予備圧着工程と、前記予備圧着構体を加熱加圧して合わせガラスとする本圧着工程とを有するもの。【選択図】図１
2011195416.tif 000002
【特許請求の範囲】
【請求項１】
第１のガラス基板、第１の接着シート、透明樹脂フィルムの一方の主面に熱線反射膜が形成された熱線反射フィルム、第２の接着シート、および第２のガラス基板を有し、これらがこの順に積層された合わせガラスの製造方法であって、
前記第１のガラス基板と前記第１の接着シートとを重ね合わせて真空雰囲気下で加熱することにより接着して第１の接着構体とすると共に、前記第２のガラス基板と前記第２の接着シートとを重ね合わせて真空雰囲気下で加熱することにより接着して第２の接着構体とする接着構体製造工程と、
前記第１の接着構体、前記熱線反射フィルム、および前記第２の接着構体をこの順に、かつ前記第１の接着シートと前記第２の接着シートが前記熱線反射フィルムと接するように重ね合わせて真空雰囲気下で加熱して予備圧着構体とする予備圧着工程と、
前記予備圧着構体を加熱加圧して合わせガラスとする本圧着工程と
を有することを特徴とする合わせガラスの製造方法。
【請求項２】
前記透明樹脂フィルムの厚さが１０μｍ以上１００μｍ以下であることを特徴とする請求項１記載の合わせガラスの製造方法。
【請求項３】
前記接着構体製造工程における加熱は、１００ｋＰａ以下の真空雰囲気下、９０℃以上１５０℃以下の温度で１５分以上５０分以下行うことを特徴とする請求項１または２記載の合わせガラスの製造方法。
【請求項４】
前記予備圧着工程における加熱は、１００ｋＰａ以下の真空雰囲気下、９０℃以上１５０℃以下の温度で２０分以上６０分以下行うことを特徴とする請求項１乃至３のいずれか１項記載の合わせガラスの製造方法。
【請求項５】
前記本圧着工程における加熱加圧は、１ＭＰａ以上１．６ＭＰａ以下の圧力下、１１０℃以上１６０℃以下の温度で３０分以上９０分以下行うことを特徴とする請求項１乃至４のいずれか１項記載の合わせガラスの製造方法。
【発明の詳細な説明】
【技術分野】
【０００１】
本発明は、合わせガラスの製造方法に係り、特に良好な外観を有する合わせガラスを製造するための製造方法に関する。
【背景技術】
【０００２】
従来から、熱線遮蔽ガラスとして、対向する一対のガラス基板間に太陽光線中の赤外線（熱線）の透過を遮断する熱線反射フィルムを配置した合わせガラスが用いられている。熱線反射フィルムは基材となる透明樹脂フィルム上に熱線反射膜を形成したものであり、例えば透明樹脂フィルムがポリエチレンテレフタレート等からなるものとされ、また熱線反射膜が酸化物層と金属層とを交互に積層したもの、または高屈折率層と低屈折率層とを交互に積層したものとされている。
【０００３】
このような熱線反射フィルムは、一対のガラス基板間にポリビニルブチラール樹脂等からなる一対の接着層を介して接着されている。すなわち、熱線遮蔽ガラスは、ガラス基板、接着シート、熱線反射フィルム、接着シート、およびガラス基板をこの順に積層して積層体とした後、予備圧着、本圧着を行うことにより製造している（例えば、特許文献１参照）。
【先行技術文献】
【特許文献】
【０００４】
【特許文献１】特開２００９−３５４３８号公報
【発明の概要】
【発明が解決しようとする課題】
【０００５】
しかしながら、このような熱線遮蔽ガラスについては、表面がメラメラとした感じに反射して見える反射ムラ、いわゆるオレンジピールが発生し、必ずしも良好な外観とならないことがある。この原因については必ずしも明らかではないが、予備圧着や本圧着の際の加熱により接着シートが収縮し、これにより隣接する熱線反射フィルムが収縮し、その表面にうねりが発生するためと考えられる。
【０００６】
本発明は、上記課題を解決するためになされたものであって、良好な外観を有する合わせガラスを製造するための製造方法を提供することを目的としている。
【課題を解決するための手段】
【０００７】
本発明の製造方法は、第１のガラス基板、第１の接着シート、透明樹脂フィルムの一方の主面に熱線反射膜が形成された熱線反射フィルム、第２の接着シート、および第２のガラス基板を有し、これらがこの順に積層された合わせガラスの製造方法であって、第１のガラス基板と第１の接着シートとを重ね合わせて真空雰囲気下で加熱することにより接着して第１の接着構体とすると共に、第２のガラス基板と第２の接着シートとを重ね合わせて真空雰囲気下で加熱することにより接着して第２の接着構体とする接着構体製造工程と、第１の接着構体、熱線反射フィルム、および第２の接着構体をこの順に、かつ第１の接着シートと第２の接着シートが熱線反射フィルムと接するように重ね合わせて真空雰囲気下で加熱して予備圧着構体とする予備圧着工程と、予備圧着構体を加熱加圧して合わせガラスとする本圧着工程とを有することを特徴とする。
【０００８】
透明樹脂フィルムの厚さは、１０μｍ以上１００μｍ以下であることが好ましい。また、接着構体製造工程における加熱は、１００ｋＰａ以下の真空雰囲気下、９０℃以上１５０℃以下の温度で１５分以上５０分以下行うことが好ましい。
【０００９】
さらに、予備圧着工程における加熱は、１００ｋＰａ以下の真空雰囲気下、９０℃以上１５０℃以下の温度で２０分以上６０分以下行うものであることが好ましく、本圧着工程における加熱加圧は、１ＭＰａ以上１．６ＭＰａ以下の圧力下、１１０℃以上１６０℃以下の温度で３０分以上９０分以下行うことが好ましい。
【発明の効果】
【００１０】
本発明によれば、第１のガラス基板に第１の接着シートを接着すると共に、第２のガラス基板に第２の接着シートを接着する接着構体製造工程を行った後、予備圧着工程および本圧着工程を行うことで、反射ムラが抑制された良好な外観を有する合わせガラスを製造することができる。
【図面の簡単な説明】
【００１１】
【図１】本発明に係る合わせガラスを示す断面図。
【図２】本発明の製造方法を示す説明図。
【発明を実施するための形態】
【００１２】
以下、本発明の合わせガラスの製造方法について説明する。
図１は、本発明に係る合わせガラス１を示す断面図である。本発明に係る合わせガラス１は、第１のガラス基板２、第１の接着シート３、熱線反射フィルム４、第２の接着シート５、および第２のガラス基板６を有し、これらがこの順に積層されることにより構成されている。また、熱線反射フィルム４は、透明樹脂フィルム４１の一方の主面に熱線反射膜４２が形成されることにより構成されている。
【００１３】
図２は、本発明の製造方法を示す説明図である。本発明の製造方法は、第１のガラス基板２と第１の接着シート３とを重ね合わせて真空雰囲気下で加熱することにより接着して第１の接着構体１１とすると共に、第２のガラス基板６と第２の接着シート５とを重ね合わせて真空雰囲気下で加熱することにより接着して第２の接着構体１２とする接着構体製造工程と、第１の接着構体１１、熱線反射フィルム４、および第２の接着構体１２をこの順に重ね合わせて真空雰囲気下で加熱して予備圧着構体とする予備圧着工程と、予備圧着構体を加熱加圧して合わせガラス１とする本圧着工程とを有している。
【００１４】
本発明の製造方法は、特に予備圧着工程や本圧着工程に先立ち、接着構体製造工程を行うことを特徴としている。このようなものとすることで、表面がメラメラとした感じに反射して見える反射ムラ、いわゆるオレンジピールの発生が抑制された良好な外観を有する合わせガラス１を製造することができる。
【００１５】
すなわち、合わせガラス１の製造に用いられる第１の接着シート３や第２の接着シート５は、一般に熱収縮率が大きく、予備圧着工程や本圧着工程のような加熱を伴う工程で収縮しやすい。また、予備圧着工程や本圧着工程では、第１の接着シート３と第２の接着シート５との間に熱線反射フィルム４が配置されるために、第１の接着シート３や第２の接着シート５の収縮により熱線反射フィルム４が中心方向に引っ張られ、熱線反射フィルム４にうねりが発生しやすい。
【００１６】
本発明では、接着構体製造工程において、予備圧着工程及び本圧着工程の前にあらかじめ、第１のガラス基板２に第１の接着シート３を接着すると共に、第２のガラス基板６に第２の接着シート５を接着する。このようにすることで、予備圧着工程及び本圧着工程における加熱による、第１の接着シート３や第２の接着シート５の収縮を抑制することができる。すなわち、一般に第１のガラス基板２や第２のガラス基板６の熱収縮率は第１の接着シート３や第２の接着シート５の熱収縮率に比べて小さいことから、第１のガラス基板２に第１の接着シート３を接着し、また第２のガラス基板６に第２の接着シート５を接着することで、予備圧着工程及び本圧着工程における加熱による第１の接着シート３や第２の接着シート５の収縮を抑制することができる。
【００１７】
このようにして得られる第１の接着構体１１や第２の接着構体１２を用いて予備圧着工程や本圧着工程を行うことで、第１の接着シート３や第２の接着シート５が収縮することにより熱線反射フィルム４が中心方向に引っ張られることを抑制することができる。結果として、熱線反射フィルム４におけるうねりの発生を抑制することができ、反射ムラが抑制された良好な外観を有する合わせガラス１を製造することができる。
【００１８】
接着構体製造工程は、第１のガラス基板２と第１の接着シート３とを重ね合わせて真空雰囲気下で加熱することにより、また第２のガラス基板６と第２の接着シート５とを重ね合わせて真空雰囲気下で加熱することにより行うことができる。具体的には、第１のガラス基板２と第１の接着シート３とを重ね合わせたもの、および第２のガラス基板６と第２の接着シート５とを重ね合わせたものを、それぞれ排気系に接続されたゴムバッグのような真空バッグに入れて加熱することにより行うことができる。
【００１９】
接着構体製造工程における加熱は、例えば１００ｋＰａ以下の真空雰囲気下、９０℃以上１５０℃以下の温度で１５分以上５０分以下行うことが好ましい。
【００２０】
加熱時の雰囲気圧力が１００ｋＰａ以下である場合、第１のガラス基板２と第１の接着シート３との間、または第２のガラス基板６と第２の接着シート５との間の脱気を十分に行うことができ、最終的に得られる合わせガラス１は白濁等が発生せず、外観の優れたものとすることができる。
【００２１】
また、加熱時の温度が９０℃以上の場合、あるいは時間が１５分以上の場合、第１のガラス基板２と第１の接着シート３との接着、または第２のガラス基板６と第２の接着シート５との接着を十分に行うことができ、その後の予備圧着工程や本圧着工程における第１の接着シート３や第２の接着シート５の収縮を十分に抑制することができる。
【００２２】
一方、加熱時の温度は１５０℃以下、時間は５０分以下であれば、第１のガラス基板２と第１の接着シート３との接着、および第２のガラス基板６と第２の接着シート５との接着を十分に行うことができ、これ以下とすることで、第１の接着シート３や第２の接着シート５の特性を維持でき、生産性に優れる。
【００２３】
接着構体製造工程における加熱は、第１のガラス基板２と第１の接着シート３との接着、および第２のガラス基板６と第２の接着シート５との接着を十分に行いつつ、また第１の接着シート３や第２の接着シート５の特性、生産性等の低下を抑制する観点から、１００℃以上１４０℃以下の温度で２０分以上４０分以下行うことがより好ましい。
【００２４】
予備圧着工程は、主として部材間の脱気を目的として行うものであり、接着構体製造工程で得られた第１の接着構体１１および第２の接着構体１２と熱線反射フィルム４とを用い、これらを第１の接着構体１１、熱線反射フィルム４、第２の接着構体１２の順に重ね合わせて、真空雰囲気下で加熱することにより行うことができる。
【００２５】
予備圧着工程における加熱は、従来の予備圧着工程における加熱と略同様にして行うことができ、例えば第１の接着構体１１、熱線反射フィルム４、および第２の接着構体１２を重ね合わせた積層体を排気系に接続されたゴムバッグのような真空バッグに入れて行うことができる。予備圧着工程における加熱は、例えば１００ｋＰａ以下の真空雰囲気下、９０℃以上１５０℃以下の温度で時間２０分以上６０分以下行うことが好ましい。
【００２６】
加熱時の雰囲気圧力が１００ｋＰａ以下である場合、第１の接着構体１１または第２の接着構体１２と熱線反射フィルム４との間の脱気を十分に行うことができ、最終的に得られる合わせガラス１に白濁等が発生せず、外観の優れたものとすることができる。
【００２７】
また、加熱時の温度が９０℃以上の場合、あるいは時間が２０分以上の場合、予備圧着を十分に行うことができる。一方、加熱時の温度は１５０℃程度、時間は６０分程度もあれば、予備圧着を十分に行うことができ、これ以下とすることで、熱線反射フィルム４にクラック等が発生せず、また部材の特性を維持でき、生産性に優れる。
【００２８】
予備圧着工程における加熱は、予備圧着を十分に行いつつ、熱線反射フィルム４におけるクラック等の発生、部材の特性や生産性等の低下を抑制する観点から、１００℃以上１４０℃以下の温度で３０分以上５０分以下行うことがより好ましい。
【００２９】
本圧着工程は、予備圧着構体を確実に接着して合わせガラス１とするために行うものであり、予備圧着構体を加熱加圧することにより行うことができる。本圧着工程における加熱加圧は、例えば予備圧着構体をオートクレーブに入れ、１ＭＰａ以上１．６ＭＰａ以下の圧力下、１１０℃以上１６０℃以下の温度で３０分以上９０分以下行うことが好ましい。
【００３０】
加熱時の圧力が１ＭＰａ以上、温度が１１０℃以上、または時間が３０分以上の場合、本圧着を十分に行うことができる。一方、加熱時の圧力は１．６ＭＰａ程度、温度は１６０℃程度、時間は９０分程度もあれば、本圧着を十分に行うことができ、これ以下であると熱線反射フィルム４にクラック等が発生せず、また部材の特性を維持でき生産性等が優れる。
【００３１】
本圧着工程における加熱加圧は、本圧着を十分に行いつつ、熱線反射フィルム４におけるクラック等の発生、部材の特性や生産性等の低下を抑制する観点から、１．１ＭＰａ以上１．５ＭＰａ以下の圧力下、１２０℃以上１５０℃以下の温度で４０分以上８０分以下行うことが好ましい。
【００３２】
合わせガラス１の製造に用いる各部材は、基本的に従来の合わせガラスと同様のものを用いることができる。すなわち、熱線反射フィルム４における透明樹脂フィルム４１としては、例えばポリカーボネート、ポリメチルメタクリレート（ＰＭＭＡ）、ポリエチレンテレフタレート（ＰＥＴ）、ポリエチレンナフタレート（ＰＥＮ）、ポリイミド、ポリエーテルスルフォン、ポリアリレート、ナイロン、シクロオレフィンポリマー等からなるものを用いることができる。
【００３３】
これらの中でも、比較的に高強度であり、合わせガラス１を製造する際の損傷を抑制しやすいことから、ポリエチレンテレフタレート（ＰＥＴ）からなるものを用いることが好ましい。透明樹脂フィルム４１の厚さは、必ずしも限定されるものではないが、一般に５μｍ以上２００μｍ以下であり、好ましくは１０μｍ以上１００μｍ以下、より好ましくは２０μｍ以上７０μｍ以下である。
【００３４】
透明樹脂フィルム４１の厚さが５μｍ以上であれば、熱線反射膜４２の成膜の際の熱による変形が低減されたり、フィルムにある程度の剛性をもたせることができるためフィルムに折り目ができるなどの不具合がおきにくいので好ましい。また、２００μｍ以下であれば、成形性が良好となり、合わせガラスにした際のエッジ部分のエアライン（フィルムエッジ部に入り込んだ空気が抜けず、白い線のように見える不具合）も発生しないことから好ましい。
【００３５】
本発明の製造方法は、特に透明樹脂フィルム４１の厚さが１００μｍ以下の場合、すなわち厚さが薄いために第１の接着シート３や第２の接着シート５の収縮による影響を受けやすい場合に、顕著な効果を発揮することができる。
【００３６】
熱線反射膜４２は、光の干渉を利用して赤外領域（波長域：７８０ｎｍ〜１０，０００ｎｍ）の光を選択的に反射するものであり、高屈折率層と低屈折率層とを交互に積層したもの、または酸化物層と金属層とを交互に積層したものとすることができる。
【００３７】
高屈折率層と低屈折率層とを交互に積層したものについては、通常、高屈折率層と低屈折率層との合計した層数が３以上であることが好ましい。層数は、製造の手間やコスト等の観点から９層以下であることが好ましい。より好ましい層数は、５層以上７層以下である。
【００３８】
高屈折率層の厚さは、透明樹脂フィルム４１から最も離れた層は、５ｎｍ以上２５ｎｍ以下であることが好ましく、７ｎｍ以上２０ｎｍ以下であることがより好ましい。透明樹脂フィルム４１から最も離れた層以外の層においては、７０ｎｍ以上１５０ｎｍ以下とすることが好ましく、８０ｎｍ以上１２０ｎｍ以下とすることがより好ましい。
【００３９】
また、低屈折率層の厚さは、透明樹脂フィルム４１から最も離れた層は、１０ｎｍ以上５０ｎｍ以下であることが好ましく、１５ｎｍ以上３５ｎｍ以下であることがより好ましい。透明樹脂フィルム４１から最も離れた層以外の層においては、１００ｎｍ以上２００ｎｍ以下であることが好ましく、１３０ｎｍ以上１７０ｎｍ以下であることがより好ましい。高屈折率層及び低屈折率層の厚さは、前記範囲内であると、反射色度が赤色に変化することが少なく、良好な遮熱性能が得られるので好ましい。
【００４０】
高屈折率層は、屈折率（波長５５０ｎｍでの屈折率、以下同様）が１．９以上、特に１．９以上２．５以下の誘電体からなるものが好ましく、例えば酸化ニオブ、酸化タンタル、酸化チタン、酸化ジルコニウム、および酸化ハフニウム等の高屈折率材料の中から選ばれる少なくとも１種からなるものが好ましい。
【００４１】
低屈折率層は、屈折率が１．５以下、特に１．２以上１．５以下の誘電体からなるものが好ましく、例えば酸化シリコン、およびフッ化マグネシウム等の低屈折率材料の中から選ばれる少なくとも１種からなるものが好ましい。
【００４２】
一方、酸化物層と金属層とを交互に積層したものについては、透明樹脂フィルム４１側から酸化物層と金属層とが交互に（２ｎ＋１）層（但し、ｎは１以上４以下の整数）積層されたものが好ましい。
【００４３】
酸化物層は、屈折率が１．７以上２．６以下、特に１．８以上２．６以下のものが好ましく、例えば酸化ビスマス、酸化スズ、酸化亜鉛、酸化タンタル、酸化ニオブ、酸化タングステン、酸化チタン、酸化ジルコニウム、酸化インジウム等の金属酸化物を主成分とするもの、あるいはこれらの混合物が好ましい。
【００４４】
特に、酸化亜鉛を主成分とするもの、または酸化インジウムを主成分とするものが好ましい。酸化亜鉛を主成分とするものとしては、酸化亜鉛のみからなるもの、またはスズ、アルミニウム、クロム、チタン、シリコン、ホウ素、マグネシウム、インジウムおよびガリウムから選ばれる少なくとも１種以上の元素を含有する酸化亜鉛が挙げられる。また、酸化インジウムを主成分とするものとしては、スズを含有する酸化インジウムが挙げられる。
【００４５】
これらの中でも、金属層を安定的に、かつ高い結晶性を有しながら形成できる点から、酸化亜鉛を主成分とするものが好ましく、特にアルミニウムおよび／またはチタンを含有する酸化亜鉛が好ましい。なお、各酸化物層は、単層であってもよいし、多層であってもよい。
【００４６】
金属層は、銀を主成分とするものであり、銀のみからなるもの、または銀を主成分とする合金からなるものである。金属層における銀以外の構成成分は、例えばパラジウム、金、銅等であり、これら銀以外の構成成分の含有量は合計で０．３原子％以上１０原子％以下であることが好ましい。
【００４７】
酸化物層や金属層の厚さは、全体の層数や各層の構成材料によっても異なるが、例えば各酸化物層は５ｎｍ以上１００ｎｍ以下、各金属層は５ｎｍ以上２０ｎｍ以下、全ての酸化物層と金属層とを合わせた全体の層厚は５０ｎｍ以上４００ｎｍ以下、より好ましくは１５０ｎｍ以上３００ｎｍ以下である。
【００４８】
このような熱線反射膜４２は、公知の成膜方法を適用して形成することができ、例えばマグネトロンスパッタリング法、電子線蒸着法、真空蒸着法、化学蒸着法等により形成することができる。
【００４９】
第１の接着シート３、第２の接着シート５は、通常、熱可塑性樹脂を主成分とする熱可塑性樹脂組成物をシート状に成形したものである。第１の接着シート３、第２の接着シート５の厚さは必ずしも限定されるものではないが、例えば０．１ｍｍ以上１．５ｍｍ以下が好ましく、０．２ｍｍ以上１．０ｍｍ以下がより好ましい。
【００５０】
熱可塑性樹脂としては、従来からこの種の用途に用いられている熱可塑性樹脂が挙げられ、例えば可塑化ポリビニルアセタール系樹脂、可塑化ポリ塩化ビニル系樹脂、飽和ポリエステル系樹脂、可塑化飽和ポリエステル系樹脂、ポリウレタン系樹脂、可塑化ポリウレタン系樹脂、エチレン−酢酸ビニル共重合体系樹脂、エチレン−エチルアクリレート共重合体系樹脂等が挙げられる。
【００５１】
これらの中でも、透明性、耐候性、強度、接着力、耐貫通性、衝撃エネルギー吸収性、耐湿性、遮熱性、および遮音性等の諸特性のバランスに優れることから、可塑化ポリビニルアセタール系樹脂が好適なものとして挙げられる。これらの熱可塑性樹脂は、１種のみを用いてもよいし、２種以上を併用してもよい。なお、可塑化ポリビニルアセタール系樹脂における「可塑化」とは、例えば可塑剤の添加により可塑化されたものである。その他の可塑化樹脂についても同様である。
【００５２】
ポリビニルアセタール系樹脂としては、例えばポリビニルアルコール（以下、必要に応じて「ＰＶＡ」という）とホルムアルデヒドとを反応させて得られるポリビニルホルマール樹脂、ＰＶＡとアセトアルデヒドとを反応させて得られる狭義のポリビニルアセタール樹脂、ＰＶＡとｎ−ブチルアルデヒドとを反応させて得られるポリビニルブチラール樹脂（以下、必要に応じて「ＰＶＢ」という）等が挙げられ、特に透明性、耐候性、強度、接着力、耐貫通性、衝撃エネルギー吸収性、耐湿性、遮熱性、および遮音性等の諸特性のバランスに優れることから、ＰＶＢが好適なものとして挙げられる。なお、これらのポリビニルアセタール系樹脂は、１種のみを用いてもよいし、２種以上を併用してもよい。
【００５３】
ポリビニルアセタール系樹脂の合成に用いられるＰＶＡとしては、一般に平均重合度が２００以上５０００以下であるものが好ましく、５００以上３０００以下であるものがより好ましい。また、ポリビニルアセタール系樹脂としては、一般にアセタール化度が４０モル％以上８５モル％以下であるものが好ましく、５０モル％以上７５モル％以下であるものがより好ましく、また残存アセチル基量が３０モル％ 以下であるものが好ましく、０．５モル％以上２４モル％以下であるものがより好ましい。
【００５４】
可塑剤としては、例えば一塩基性有機酸エステル系、多塩基性有機酸エステル系等の有機酸エステル系可塑剤、有機リン酸系、有機亜リン酸系等のリン酸系可塑剤等が挙げられる。可塑剤の添加量は、熱可塑性樹脂の平均重合度、ポリビニルアセタール系樹脂の平均重合度やアセタール化度および残存アセチル基量等によっても異なるが、熱可塑性樹脂１００質量部に対し、１０質量部以上８０質量部以下であることが好ましい。可塑剤の添加量が１０質量部未満の場合、熱可塑性樹脂の可塑化が不十分となり、成形が困難となることがある。また、可塑剤の添加量が８０質量部を超える場合、接着層３、５の強度が不十分となることがある。
【００５５】
なお、熱可塑性樹脂組成物には、熱可塑性樹脂の他、例えば接着性調整剤、カップリング剤、界面活性剤、酸化防止剤、熱安定剤、光安定剤、紫外線吸収剤、蛍光剤、脱水剤、消泡剤、帯電防止剤、難燃剤等の各種添加剤の１種もしくは２種以上を含有させることができる。
【００５６】
第１のガラス基板２、第２のガラス基板６としては、公知のガラス板を用いることができ、例えばクリアガラス板、グリーンガラス板、ＵＶグリーンガラス板等の無機透明ガラス板、ポリカーボネート板、ポリメチルメタクリレート板等の有機透明ガラス板を用いることができる。
【００５７】
第１のガラス基板２、第２のガラス基板６の厚さは、必ずしも限定されるものではないが、１ｍｍ以上４ｍｍ以下が好ましく、１．８ｍｍ以上２．５ｍｍ以下がより好ましい。なお、ガラス基板２、６には、撥水機能、親水機能、防曇機能等を付与するコーティングが施されていてもよい。
【００５８】
このようにして製造される合わせガラス１は、自動車、鉄道、船舶等に好適に用いることができ、特に自動車のフロントガラス等に好適に用いることができる。本発明の合わせガラス１は、表面の反射ムラが抑制された良好な外観を有することから、自動車のフロントガラス等に好適に用いることができる。
【実施例】
【００５９】
以下、本発明について、実施例を参照してより詳細に説明する。
【００６０】
（実施例１）
合わせガラスの製造に先立ち、まず透明樹脂フィルムの一方の主面に高屈折率層と低屈折率層とが交互に積層された熱線反射膜が形成された熱線反射フィルムを製造した。まず、透明樹脂フィルムとして、片面のみに易接着処理が施されたＰＥＴフィルム（東洋紡績株式会社製、商品名：コスモシャイン  Ａ４１００、厚さ５０μｍ）を用意した。そして、ＰＥＴフィルムを真空チャンバーに投入し、その易接着処理が施されていない主面上に、マグネトロンスパッタリング法により高屈折率層となるＮｂ２Ｏ５層と低屈折率層となるＳｉＯ２層とを交互に合わせて９層積層して熱線反射膜を形成し、熱線反射フィルムを製造した。
【００６１】
なお、各Ｎｂ２Ｏ５層は、ＮＢＯターゲット（ＡＧＣセラミック社製、商品名：ＮＢＯ）を用いて、アルゴンガスに５体積％の酸素ガスを混合した混合ガスを導入しつつ、０．１Ｐａの圧力で周波数２０ｋＨｚ、電力密度５．１Ｗ／ｃｍ２、反転パルス幅５μｓｅｃのパルススパッタを行って形成した。
【００６２】
また、各ＳｉＯ２層は、Ｓｉターゲットを用いてアルゴンガスに２７体積％の酸素ガスを混合した混合ガスを導入しつつ、０．３Ｐａの圧力で周波数２０ｋＨｚ、電力密度３．８Ｗ／ｃｍ２、反転パルス幅５μｓｅｃのパルススパッタを行って形成した。
【００６３】
各Ｎｂ２Ｏ５層、ＳｉＯ２層の厚さは、成膜時間を変更することにより調整し、ＰＥＴフィルム側から順にＮｂ２Ｏ５層（９５ｎｍ）／ＳｉＯ２層（１５３ｎｍ）／Ｎｂ２Ｏ５層（９５ｎｍ）／ＳｉＯ２層（１５３ｎｍ）／Ｎｂ２Ｏ５層（９５ｎｍ）／ＳｉＯ２層（１５３ｎｍ）／Ｎｂ２Ｏ５層（９５ｎｍ）／ＳｉＯ２層（２５ｎｍ）／Ｎｂ２Ｏ５層（１０ｎｍ）とした。
【００６４】
次に、厚さ２ｍｍの一対のガラス基板上にそれぞれ接着シートとして厚さ０．３８ｍｍのＰＶＢシート（積水化学工業株式会社製）を重ね合わせた後、これらをそれぞれ真空バッグに入れ、圧力計の表示が１００ｋＰａ以下となるように脱気した後、１２０℃で３０分間の加熱処理を行い、ガラス基板上にＰＶＢシートが接着された一対の接着構体を製造した（接着構体製造工程）。
【００６５】
そして、先に製造した熱線反射フィルムの両主面に一対の接着構体を重ね合わせて積層体とした。なお、一対の接着構体は、それぞれ接着シート側を熱線反射フィルムに向けて重ね合わせた。この積層体を真空バッグに入れ、圧力計の表示が１００ｋＰａ以下となるように脱気し、１２０℃で４０分間の加熱処理を行って予備圧着構体とした（予備圧着工程）。さらに、予備圧着構体をオートクレーブに入れ、１．３ＭＰａの圧力下、１３５℃で６０分間の加熱加圧処理を行って合わせガラスを製造した（本圧着工程）。
【００６６】
（実施例２）
実施例１の合わせガラスの製造において、ＰＥＴフィルム上に高屈折率層と低屈折率層とが交互に積層された熱線反射膜を形成する代わりに、酸化物層と金属層とを交互に合わせて７層積層して熱線反射膜を形成すると共に、この熱線反射膜上に保護層を形成し、熱線反射フィルムを製造した。この熱線反射フィルムを用いて、実施例１と同様に予備圧着工程、本圧着工程を行って合わせガラスを製造した。
【００６７】
なお、各酸化物層は、酸化チタンを１０質量％添加した酸化亜鉛を焼結することにより作製したターゲットを用いて、アルゴンガスに５体積％の酸素ガスを混合した混合ガスを導入しつつ、０．１Ｐａの圧力で周波数２０ｋＨｚ、電力密度３．８Ｗ／ｃｍ２、反転パルス幅５μｓｅｃのパルススパッタを行うことにより形成した。
【００６８】
また、各金属層は、金を０．２５質量％添加した銀を主成分とする銀合金ターゲットを用いて、アルゴンガスを導入しながら、０．１Ｐａの圧力で周波数２０ｋＨｚ、電力密度２．５Ｗ／ｃｍ２、反転パルス幅５μｓｅｃのパルススパッタを行うことにより形成した。
【００６９】
さらに、保護層は、ガリウム、インジウム、およびスズの酸化物ターゲット（ＡＧＣセラミックス株式会社製、商品名：ＧＩＴターゲット）を用いてアルゴンガスに５体積％の酸素ガスを混合した混合ガスを導入しながら、０．１Ｐａの圧力で周波数２０ｋＨｚ、電力密度２．５Ｗ／ｃｍ２、反転パルス幅５μｓｅｃのパルススパッタを行うことにより形成した。
【００７０】
各酸化物層、金属層、保護層の厚さは、成膜時間を変更することにより調整し、ＰＥＴフィルム側から順に酸化物層（３５ｎｍ）／金属層（１０ｎｍ）／酸化物層（７０ｎｍ）／金属層（１２ｎｍ）／酸化物層（７０ｎｍ）／金属層（１０ｎｍ）／酸化物層（３５ｎｍ）／保護層（５ｎｍ）とした。
【００７１】
（実施例３）
実施例１の合わせガラスの製造において、透明樹脂フィルムとして厚さ１００μｍのＰＥＴフィルム（東洋紡績株式会社製、商品名：コスモシャイン  Ａ４１００）を用いて合わせガラスを製造した。
【００７２】
（実施例４）
実施例１の合わせガラスの製造において、透明樹脂フィルムとして厚さ１８８μｍのＰＥＴフィルム（東洋紡績株式会社製、商品名：コスモシャイン  Ａ４１００）を用いて合わせガラスを製造した。
【００７３】
（比較例１）
実施例１の合わせガラスの製造において、接着構体製造工程を行わずに、直接、予備圧着工程、本圧着工程を行って合わせガラスを製造した。すなわち、実施例１と同様の熱線反射フィルム、一対のガラス基板、および一対の接着シートを用い、これらをガラス基板、接着シート、熱線反射フィルム、接着シート、ガラス基板の順に重ね合わせて積層体とした。この積層体を真空バッグに入れ、圧力計の表示が１００ｋＰａ以下となるように脱気し、１２０℃で４０分間の加熱処理を行って予備圧着構体とした（予備圧着工程）。さらに、予備圧着構体をオートクレーブに入れ、１．３ＭＰａの圧力下、１３５℃、６０分間の加熱加圧処理を行って合わせガラスを製造した（本圧着工程）。
【００７４】
（比較例２）
比較例１の合わせガラスの製造において、透明樹脂フィルムとして厚さ１００μｍのＰＥＴフィルム（東洋紡績株式会社製、商品名：コスモシャイン  Ａ４１００）を用いて合わせガラスを製造した。
【００７５】
次に、実施例および比較例の合わせガラスについて、目視により反射ムラ（オレンジピール）の評価を行った。表１に、合わせガラスの構成と共に、反射ムラの評価結果を示す。なお、表中、反射膜の種類の欄における「Ａ」は反射膜が高屈折率層と低屈折率層との積層体を示し、「Ｂ」は反射膜が酸化物層と金属層との積層体を示す。また、反射ムラ（オレンジピール）の欄における「×」は反射ムラが発生したことを示し、「△」は反射ムラが発生したが、わずかであることを示し、「○」は反射ムラが発生しなかったことを示す。
【００７６】
また、合わせガラスにした際のエッジ部分のエアライン（フィルムエッジ部に入り込んだ空気が抜けず、白い線のように見える不具合）の発生の有り無しを目視で観察した。表１のエアラインの欄における「×」はエアラインが発生したことを示し、「○」はエアラインが発生しなかったことを示す。
【００７７】
【表１】
2011195416.tif 000003
【００７８】
表１から明らかなように、接着構体製造工程を経ずに作製された比較例の合わせガラスについては、ＰＥＴフィルムの厚さが小さくなるにつれて反射ムラの発生が多くなることが認められた。一方、接着構体製造工程を経て作製された実施例の合わせガラスについては、反射膜の種類やＰＥＴフィルムの厚さによらず、反射ムラの発生が抑制されることが認められた。これらの結果から、本発明は特にＰＥＴフィルムの厚さが１００μｍ以下の場合に顕著な効果を有することが分かる。
【符号の説明】
【００７９】
１…合わせガラス、２…第１のガラス基板、３…第１の接着シート、４…熱線反射フィルム、５…第２の接着シート、６…第２のガラス基板、１１…第１の接着構体、１２…第２の接着構体、４１…透明樹脂フィルム、４２…熱線反射膜
【図１】
2011195416.tif 000004
【図２】
2011195416.tif 000005